(57)【要約】【課題】  調整主要色と隣の主要色とが互いに色干渉を起こす領域に属する修正範囲についての色表現の不連続性の発生を防止する。【解決手段】  入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する加重値決定部１２と、調整主要色の彩度調整量及び／又は色相調整量と前記加重値とを用いて、前記入力映像の色相及び彩度成分のうち修正範囲に属する成分対象彩度成分及び／又は前記対象色相成分を調整する成分調整部１４と、を備える映像の主要色成分調整装置である。【選択図】      図１
2005323376.tif 000002
【特許請求の範囲】
【請求項１】
入力映像の色相成分及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と前記調整主要色の色相との色相差に応じて加重値を決定する加重値決定部と、
前記調整主要色の彩度調整量及び／又は色相調整量と前記加重値とを用いて、前記入力映像の色相成分及び彩度成分のうち前記修正範囲に属する対象彩度成分及び／又は前記対象色相成分を調整する成分調整部と、
を備えることを特徴とする映像の主要色成分調整装置。
【請求項２】
前記主要色は、赤色、緑色、青色、シアン色、マゼンタ色、イエロー色、またはこれらの色の組み合わせにより生成可能な色であることを特徴とする請求項１に記載の映像の主要色成分調整装置。
【請求項３】
前記成分調整部は、
前記対象彩度成分を最大彩度まで調整可能であり、前記対象色相成分を前記調整主要色または前記隣の主要色まで調整可能であることを特徴とする請求項１に記載の映像の主要色成分調整装置。
【請求項４】
前記映像の主要色成分調整装置は、
前記入力映像についての色情報から前記色相成分及び彩度成分を抽出し、抽出された成分のうち、前記対象色相成分と前記対象彩度成分とを抽出する成分決定部をさらに備えることを特徴とする請求項１に記載の映像の主要色成分調整装置。
【請求項５】
前記成分決定部は、
前記色情報を表現する所定の色空間を他の色空間に変換する色空間変換部と、
前記変換された他の色空間で表現された前記色情報から、前記色相成分及び彩度成分を抽出する成分抽出部と、
前記抽出された色相成分及び彩度成分のうち、外部から入力した所定の修正範囲に属する前記対象色相成分と前記対象彩度成分を抽出して出力する成分抽出部と、
を備えることを特徴とする請求項４に記載の映像の主要色成分調整装置。
【請求項６】
前記成分抽出部は外部から入力した前記修正範囲をユーザの意図により調整することを特徴とする請求項５に記載の映像の主要色成分調整装置。
【請求項７】
前記所定の色空間は、ＲＧＢの色空間、ＨＳＶの色空間、及びＹＣｂＣｒの色空間のうち一つであり、前記他の色空間は、ＲＧＢの色空間、ＨＳＶの色空間、及びＹＣｂＣｒの色空間のうち前記所定の色空間以外の色空間であることを特徴とする請求項５に記載の主要色成分調整装置。
【請求項８】
前記加重値決定部は、
前記色相差の絶対値が小さいほど、前記加重値を大きく決定し、前記色相差の絶対値が大きいほど、前記加重値を小さく決定することを特徴とする請求項１に記載の映像の主要色成分調整装置。
【請求項９】
前記加重値決定部は、式（１）、式（２）により前記加重値を決定することを特徴とする請求項８に記載の映像の主要色成分調整装置。
【数１】
2005323376.tif 000007
ここで、Ｗ1は、前記調整主要色がＲ、ＧまたはＢである場合に決定された前記加重値を示し、Ｗ2は、前記主要色のＣ、ＭまたはＹである場合に決定された前記加重値を示し、ｋは、前記加重値の最大値を示し、２θは、前記修正範囲の角度を示し、ｈIは、前記調整される対象色相成分の色相を示し、ｒｏｕｎｄ（ｘ）は、ｘから小数点以下の値を除去した値を示す。
【請求項１０】
前記成分調整部は、
前記彩度成分及び／又は前記色相調整量と前記加重値とを利用して、彩度調整値及び／又は色相調整値を計算する調整値計算部と、
前記彩度調整値及び／又は色相調整値を利用して、前記対象色相成分及び／又は対象彩度成分を調整する成分出力部と、
を備えることを特徴とする請求項９に記載の映像の主要色成分調整装置。
【請求項１１】
前記調整値計算部は、式（３）または式（４）により彩度調整値または色相調整値を計算することを特徴とする請求項１０に記載の映像の主要色成分調整装置。
【数２】
2005323376.tif 000008
ここで、ＤＥＬＴＡsは、前記彩度調整値を示し、ＤＥＬＴＡhは、前記色相調整値を示し、前記調整主要色がＲ、ＧまたはＢである場合に、Δｓ1は、前記調整主要色の前記彩度調整量を示し、Δｈ1は、前記調整主要色の前記色相調整量を示し、Ｗ1は、決定された前記加重値を示し、前記調整主要色がＣ、ＭまたはＹである場合に、Δｓ2は、前記彩度調整量を示し、Δｈ2は、前記色相調整量を示し、Ｗ2は、決定された前記加重値をそれぞれ示す。
質問事項
彩度調整値と彩度調整量との関係、色相調整値と色相調整量との関係をご教授下さい。
彩度調整値と彩度調整量、色相調整値と色相調整量が同一のものであれば、いずれかに統一したいと考えております。
【請求項１２】
前記成分出力部は、式（５）または式（６）により前記対象色相成分及び／又は対象彩度成分を調整することを特徴とする請求項１２に記載の映像の主要色成分調整装置。
【数３】
2005323376.tif 000009
ここで、ｓOは、調整された前記対象彩度成分を示し、ｓIは、調整される前記対象彩度成分を示し、ｈOは、調整された前記対象色相成分を示し、ｈIは、調整される前記対象色相成分をそれぞれ示す。
【請求項１３】
前記成分出力部は、
前記対象彩度成分が低彩度領域に属するか、高彩度領域に属するかによって、前記対象彩度成分の彩度を異なって調整することを特徴とする請求項１０に記載の映像の主要色成分調整装置。
【請求項１４】
前記成分出力部は、
前記対象彩度成分が前記低彩度領域に属する場合には、式（７）により前記対象彩度成分を調整し、
前記対象彩度成分が前記高彩度領域に属する場合には、式（８）により前記対象彩度成分を調整すること
を特徴とする請求項１３に記載の映像の主要色成分調整装置。
【数４】
2005323376.tif 000010
ここで、ｓOは、調整された前記対象彩度成分を示し、ｓIは、調整される前記対象彩度成分を示し、ＤＥＬＴＡsは、前記彩度調整値を示し、ｓＧＰは、所定しきい値を示し、前記低彩度領域でｓI＜ｓＧＰであり、前記高彩度領域でｓI≧ｓＧＰとなる。
【請求項１５】
前記ＤＥＬＴＡsは、式（９）により求められることを特徴とする請求項１４に記載の映像の主要色成分調整装置。
【数５】
2005323376.tif 000011
ここで、前記調整主要色がＲ、ＧまたはＢである場合に、Δｓ1は、前記彩度調整量を示し、Ｗ1は、決定された前記加重値を示し、前記調整主要色がＣ、ＭまたはＹである場合に、Δｓ2は、前記彩度調整量を示し、Ｗ2は、決定された前記加重値をそれぞれ示す。
【請求項１６】
入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する段階と、
前記調整主要色の彩度調整量及び／又は色相調整量と前記加重値とを用いて、前記入力映像の色相及び彩度成分のうち修正範囲に属する成分対象彩度成分及び／又は前記対象色相成分を調整する段階と、
を含むことを特徴とする映像の主要色成分調整方法。
【請求項１７】
前記映像の主要色成分調整方法は、
前記入力映像についての色情報から前記色相成分及び彩度成分を抽出し、抽出した成分のうち、前記対象色相成分と前記対象彩度成分とを抽出する段階を含むことを特徴とする請求項１６に記載の映像の主要色成分調整方法。
【請求項１８】
入力映像の色相成分及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する段階と、
前記調整主要色の彩度調整量及び／又は色相調整量と前記加重値とを用いて、前記入力映像の色相及び彩度成分のうち修正範囲に属する成分対象彩度成分及び／又は前記対象色相成分を調整する段階と、
を含むことを特徴とする映像の主要色成分調整プログラムを記録するコンピュータで読み取り可能な記録媒体。
【請求項１９】
前記映像の主要色成分調整プログラムは、
前記入力映像についての色情報から前記色相成分及び彩度成分を抽出し、抽出した成分のうち、前記対象色相成分と前記対象彩度成分とを抽出する段階を含むことを特徴とする映像の主要色成分調整プログラムを記録する請求項１８に記載のコンピュータで読み取り可能な記録媒体。
【請求項２０】
入力映像の対象彩度が無彩色または人が無彩色と認識する無彩色の周辺の値を有する場合に、前記入力映像の色成分が正しく表現されない色表現の誤りの発生を防止するための映像の主要色成分調整装置において、
入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する加重値決定部と、
前記調整主要色の彩度調整量及び／又は色相調整量と前記加重値とを用いて、前記入力映像の色相及び彩度成分のうち修正範囲に属する成分対象彩度成分及び／又は前記対象色相成分を調整する成分調整部と、
を備えることを特徴とする映像の主要色成分調整装置。
【発明の詳細な説明】
【技術分野】
【０００１】
本発明は、カラーイメージ編集ツール、液晶ディスプレイ（Ｌｉｑｕｉｄ  Ｃｒｙｓｔａｌ  Ｄｉｓｐｌａｙ：ＬＣＤ）、ＤＳＣ（Ｄｉｆｆｅｒｅｎｔｉａｌ  Ｓｃａｎｎｉｎｇ  Ｃａｌｏｒｉｍｅｔｅｒ）またはプリンタなどのようにカラー映像を処理する分野に係り、特に、映像の主要色成分を調整する映像主要色成分の調整装置、映像の主要色成分調整方法及び映像の主要色成分調整プログラムを記録するコンピュータで読み取り可能な記憶媒体に関する。
【背景技術】
【０００２】
一般的に、相異なる色表現特性を有するディスプレイ装置は、同一な映像を相異なるカラーで表示する。また、同一な色表現特性を有するディスプレイ装置も、同一な映像を相異なるカラーで表示する。なぜならば、同一な色表現特性を有するディスプレイ装置であるとしても、そのディスプレイ装置に使われた部品の色表現特性が、相異なるためである。このようなディスプレイ装置間のカラーの不一致をなくすために、あるいは、ユーザー自身が好む特定なカラーで映像を表現させるために、映像の主要色成分を調整する必要性がある。
【０００３】
映像の色成分を調整する従来の技術が、特許文献１ないし特許文献４にそれぞれ開示されている。開示された従来の技術は、調整が要求される主要色と隣の主要色との色干渉を考慮せず、調整が要求される主要色について単独に色相成分と彩度成分とを調整するため、色表現の不連続性を発生させるという問題点を有する。ここで、色表現の不連続性とは特定の色成分を調整する場合に、その色成分を含む色相が全体的に調整されず、特定の色成分の色相だけが調整される現象をいう。
【特許文献１】米国特許第ＵＳ６，０３４，６５５号明細書
【特許文献２】米国特許第ＵＳ６，０５７，９３１号明細書
【特許文献３】米国特許第ＵＳ６，１２２，０１２号明細書
【特許文献４】米国特許第ＵＳ６，４７６，８７７号明細書
【発明の開示】
【発明が解決しようとする課題】
【０００４】
本発明が解決しようとする課題は、主要色間の干渉と相互間の影響とを考慮して、映像で主要色の色相成分及び／又は彩度成分を調整することにより色表現の不連続性発生を防止する映像の主要色成分調整装置を提供するところにある。
また、本発明が解決しようとする課題は、主要色間の干渉と相互間の影響とを考慮して、映像で主要色の色相成分及び／又は彩度成分を調整することにより色表現の不連続性発生を防止する映像の主要色成分調整方法を提供するところにある。
さらに、本発明が解決しようとする課題は、主要色間の干渉と相互間の影響とを考慮して、映像で主要色の色相成分及び／又は彩度成分を調整することにより色表現の不連続性発生を防止する映像の主要色成分調整プログラムを記録するコンピュータで読み取り可能な記憶媒体を提供するところにある。
【課題を解決するための手段】
【０００５】
前記課題を解決するために、本発明による映像の主要色成分調整装置は、入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する加重値決定部と、前記調整主要色の彩度調整量及び／又は色相調整量と前記加重値とを用いて、前記入力映像の色相及び彩度成分のうち修正範囲に属する成分対象彩度成分及び／又は前記対象色相成分を調整する成分調整部と、を備えることを特徴とする。
【０００６】
また、前記課題を解決するために、本発明による映像の主要色成分調整方法は、入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する段階と、前記調整主要色の彩度調整量及び／又は色相調整量と前記加重値とを用いて、前記入力映像の色相及び彩度成分のうち修正範囲に属する成分対象彩度成分及び／又は前記対象色相成分を調整する段階と、を含むことを特徴とする。
【０００７】
また、前記課題を解決するために、本発明によるコンピュータで読み取り可能な記録媒体に記録された映像の主要色成分調整プログラムは、入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する段階前記調整主要色の彩度調整量及び／又は色相調整量と前記加重値とを用いて、前記入力映像の色相及び彩度成分のうち修正範囲に属する成分対象彩度成分及び／又は前記対象色相成分を調整する段階と、を含むことを特徴とする。
【０００８】
さらに、入力映像の対象彩度が無彩色または無彩色の周辺の値を有する場合に、色表現の誤りの発生を防止するための映像の主要色成分調整装置において、入力映像の色相及び彩度成分のうち、色空間の領域で調整が要求される主要色である調整主要色とこの調整主要色に隣接する隣の主要色とが互いに色干渉を起こす領域に属する修正範囲の色相成分である対象色相成分それぞれの色相と調整主要色の色相との色相差に応じて加重値を決定する加重値決定部と、前記調整主要色の彩度調整量及び／又は色相調整量と前記加重値とを用いて、前記入力映像の色相及び彩度成分のうち修正範囲に属する成分対象彩度成分及び／又は前記対象色相成分を調整する成分調整部と、を備えることを特徴とする。
【発明の効果】
【０００９】
本発明による映像の主要色成分調整装置と映像の主要色成分調整方法及び映像の主要色成分調整プログラムを記録するコンピュータで読み取り可能な記憶媒体は、調整主要色と隣の主要色とが互いに色干渉を起こす領域に属する修正範囲について、入力映像の色相及び彩度成分のうち、少なくとも一つを調整するため、色表現の不連続性を発生させるという従来の問題点を解消でき、相異なる特性を有する相異なるディスプレイ装置間のカラー差（色差）をさらによく補正でき、映像で特定色をユーザーの所望の通り変換させ、特に映像において特定色で表現される背景などの色を除去するか、または他の色に置換するのに有用に適用され、低彩度と高彩度領域とを区分して対象彩度成分を調整するので、対象彩度成分が無彩色であるか、またはその周辺の値であるときに発生する可能性のある色表現誤りを予め防止して、調整される対象彩度成分と調整された対象彩度成分との間に自然らしさを維持できる。
【発明を実施するための最良の形態】
【００１０】
以下、本発明による映像の主要色成分調整装置の構成、動作及び映像の主要色成分調整方法を、添付された図面を参照して説明する。図１は、本発明による映像の主要色成分調整装置の一例のブロック図である。本発明による映像の主要色成分調整装置は、成分決定部１０、加重値決定部１２及び成分調整部１４によって構成される。図２は、本発明による映像の主要色成分調整方法の一例を説明するためのフローチャートである。本発明による映像の主要色成分調整方法は、対象色相成分と対象彩度成分とを決定する段階（第３０段階）、加重値を決定する段階（第３２段階）及び対象色相成分及び／又は対象彩度成分を、加重値を利用して調整する段階（第３４段階）からなる。
【００１１】
図１に示した成分決定部１０は、入力端子ＩＮ１を通じて入力した入力映像についての色情報から色相及び彩度成分を抽出し、抽出された色相及び彩度成分のうち、対象色相成分と対象彩度成分とをそれぞれ抽出し、抽出した対象色相成分と対象彩度成分とを出力する（第３０段階）。ここで、対象色相成分とは、入力映像についての色情報から抽出された色相成分のうち、修正範囲に属する色相成分を意味し、対象彩度成分とは、入力映像についての色情報から抽出された彩度成分のうち、修正範囲に属する彩度成分を意味する。この際、修正範囲は、色空間の領域で、調整対象の主要色と隣の主要色とが互いに色干渉を起こす領域、すなわち、調整主要色の合成色が影響を及ぼす領域で決定され、ユーザーにより決定される。または修正範囲は、第３０段落以降にユーザーにより変更されることもある。調整対象の主要色は、調整が要求される主要色に該当し、隣の主要色は、調整対象の主要色と隣り合う主要色に該当する。
【００１２】
本発明によれば、主要色（調整主要色、隣の主要色）は、赤色（Ｒ）、緑色（Ｇ）、青色（Ｂ）、シアン色（Ｃ）、マゼンタ色（Ｍ）または黄色（Ｙ）、これらに色の組み合わせにより生成可能な色である。
【００１３】
図３は、図１に示された成分決定部の本発明による望ましい一例のブロック図である。成分調整部１０Ａは、色空間変換部５０、成分抽出部５２及び成分抽出部５４で構成される。
図３に示した成分決定部１０Ａの色空間変換部５０は、入力端子ＩＮ４を通じて入力した入力映像の色情報を表現するＲ、Ｇ、Ｂの色空間を他の色空間に変換し、変換された色空間で表現された色情報を成分抽出部５２に出力する。このように、色空間変換部５０で、ＲＧＢの色空間で表現された色情報を他の色空間に変換する理由は、色情報から色相及び彩度成分を容易に抽出するためである。
【００１４】
ここで、他の色空間とは、入力映像から彩度と色相とを抽出する色空間であって、例えばＨＳＶ（ここで、Ｈは色相（Ｈｕｅ）を示し、Ｓは彩度（Ｓａｔｕｒａｔｉｏｎ）を示し、Ｖは輝度を示す）色空間、または、ＹＣｂＣｒ（ここで、Ｙは輝度を示し、ＣｂＣｒは色差を示す）色空間を示す。
【００１５】
図４は、３次元的なＨＳＶ色空間を２次元に表現した図面であって、色相（Ｈ）、彩度（Ｓ）及び輝度（Ｖ）を示す。例えば、図３に示した色空間変換部５０は、ＲＧＢ色空間で表現された色情報を、ＨＳＶ色空間、ＹＣｂＣｒ色空間、または図４に示したＨＳＶ色空間に変換して表現できる。図４に示した矢印６０方向へ行くほど輝度が増加し、矢印６２方向へ行くほど色相が変わり、矢印６４方向へ行くほど彩度が増加する。
この際、図３に示した成分抽出部５２は、色空間変換部５０で変換した色空間で表現された色情報から色相及び彩度成分を抽出し、抽出した色相及び彩度成分を成分抽出部５４に出力する。成分抽出部５４は、成分抽出部５２から抽出した色相及び彩度成分のうち、入力端子ＩＮ５を通じて入力した修正範囲に属する対象色相成分及び対象彩度成分を抽出し、抽出した対象色相成分及び対象彩度成分を、出力端子ＯＵＴ２を通じて出力する。この際、修正範囲が複数個である場合、成分抽出部５４は、修正範囲のそれぞれに属する対象色相成分及び対象彩度成分を抽出する。なお、成分抽出部５４は、ユーザーによる修正範囲の変更を入力することができる機能を有していてもよい。
【００１６】
一方、第３０段階後に、図１に示した加重値決定部１２は、成分決定部１０から入力した対象色相成分の色相と、入力端子ＩＮ２を通じて入力した調整主要色の色相との色相差に応じて、加重値を決定し、決定した加重値を成分調整部１４に出力する（第３２段階）。ここで、色相は、色角度としても表現できる。仮に、複数個の修正範囲が図３に示した成分抽出部５４に入力端子ＩＮ５を通じて入力され、成分抽出部５４で複数個の対象色相成分と複数個の対象彩度成分とを抽出するとき、加重値決定部１２は、修正範囲別に各対象色相成分の色相とそれに該当する調整主要色の色相との色相差に応じて、加重値を決定する。
【００１７】
以下、図１に示した主要色成分調整装置の理解を助けるために、図３に示した色空間変換部５０で、ＲＧＢ色空間で表現した色情報をＨＳＶ色空間に変換し、主要色（調整主要色、隣の所要色）は、Ｒ、Ｇ、Ｂ、Ｃ、ＭまたはＹのうちの一つであると仮定するが、本発明における主要色は、これに限定されない。
【００１８】
図５は、図４に示したＨＳＶ色空間を矢印６６方向に見た図面であって、色相と彩度との大きさを２次元的に示す。ここで、色相の基準は、Ｒ色であると仮定され、すなわち、主要色Ｒの色相ｈRは、０°であると仮定され、逆時計回り方向に色相が増加し、中心７４から遠心方向へ行くほど彩度が増加する。なお、図５中、ｈRはＲ軸に該当する。
【００１９】
例えば、ユーザーが調整することを要求する主要色である調整主要色がＹであり、成分決定部１０で決定した対象色相成分と対象彩度成分とからなる色情報７０が、図５に示したような場合には、加重値決定部１２は、調整される対象色相成分の色相ｈIとそれに該当する調整主要色の色相ｈYとの色相差に応じて、加重値を決定する。
【００２０】
図５で、主要色は、互いに色角度６０°の色相差を有する。すなわち、主要色は、互いに色角度６０°の色相ほど離隔されている。この場合、ある主要色がそれと隣り合う主要色と色干渉を起こす領域は、その主要色を中心に±６０°である。これは、ある主要色を中心に±６０°の区間に属する色情報の彩度や色相を調整すれば、その調整により影響を受ける区間は、その主要色を中心に±６０°ということを意味する。したがって、前記した修正範囲は、主要色を基準として１２０°の範囲内で決定される。
【００２１】
図６は、調整する対象色相成分の色相による加重値を例示的に示す本発明によるグラフである。図６に示すグラフは、横軸は色相ｈIを示し、縦軸は加重値をそれぞれ示す。ここで、加重値の最大値は「１」として設定され、各主要色の加重値は「１」として設定された。すなわち、調整主要色がＣ、ＭまたはＹである場合に、加重値を求めるために使われるグラフ８０で、各調整主要色Ｃ、ＭまたはＹの加重値は「１」であり、隣の主要色Ｒ、ＧまたはＢの加重値は「０」である。また、調整主要色がＲ、ＧまたはＢである場合に、加重値を求めるために使われるグラフ８２で、各調整主要色Ｒ、ＧまたはＢの加重値は「１」であり、隣の主要色Ｃ、ＭまたはＹの加重値は「０」である。
【００２２】
本実施形態によれば、加重値決定部１２は、対象色相成分の色相と調整主要色の色相との色相差の絶対値が小さいほど、加重値を大きく決定し、色相差の絶対値が大きいほど、加重値を小さく決定できる。この場合、加重値は、図６に示すように、調整主要色の種類及び対象色相成分の色相ｈIによって異なって決定される。例えば、図５及び図６を参照すれば、調整主要色がＲ、ＧまたはＢであり、色情報７０の対象色相成分の色相ｈIが７５°である場合、加重値は０．３と決定される。
【００２３】
例えば、加重値決定部１２は、調整主要色の種類がＲ、ＧまたはＢである場合、式（１）に従って加重値Ｗ1を決定し、調整主要色の種類がＣ、ＭまたはＹである場合、式（２）に従って加重値Ｗ2を決定する。
【数１】
2005323376.tif 000003
ここで、ｋは、加重値の最大値を示し、例えば図６に示すように「１」となり、２θは、修正範囲の角度、すなわち色相を示し、ｒｏｕｎｄ（ｘ）は、ｘから小数点以下の値を除去した値を意味する。この際、本発明によれば、Ｗ1＋Ｗ2は、「１」となる。
【００２４】
前記したように、本発明の実施の形態によれば、映像の主要色成分調整装置は、図１に示すように、成分決定部１０、加重値決定部１２及び成分調整部１４によって実現される。しかし、映像の主要色成分調整装置は、図１に示すように、加重値決定部１２と成分調整部１４のみで実現することもできる。この場合、加重値決定部１２は、外部から入力端子ＩＮ２を通じて色情報から予め色相成分、彩度成分を抽出し、修正範囲に属する対象色相成分と対象彩度成分とを抽出して、この抽出した対象色相成分と対象彩度成分を入力する。
【００２５】
一方、第３２段階の後に、図１に示す成分調整部１４は、入力端子ＩＮ３を通じて入力した少なくとも一つの調整主要色の彩度調整量及び／又は色相調整量と、加重値決定部１２から入力した加重値とを利用して、対象色相成分及び／又は対象彩度成分を調整し、調整された結果を出力端子ＯＵＴ１を通じて出力する（第３４段階）。例えば、成分調整部１４は、調整主要色の彩度調整量と加重値とを利用して、対象彩度成分を調整し、調整主要色の色相調整量と加重値とを利用して、対象色相成分を調整し、調整された結果を出力端子ＯＵＴ１を通じて出力する。ここで、対象彩度成分を調整するときに使われる加重値と、対象色相成分を調整するときに使われる加重値とは、同一であり、調整主要色の種類によって前記した式（１）または式（２）により求められる。
【００２６】
ここで、彩度調整量と色相調整量とは、ユーザーにより修正範囲別に調整主要色と共に決定される量である。例えば、ユーザーは、一つの主要色の成分を調整するとき、調整主要色、その調整主要色の修正範囲２θ、その調整主要色の彩度調整量及び／又は色相調整量を決定する。
【００２７】
本発明の実施形態によれば、成分調整部１４は、対象彩度成分を最大彩度であるｋまで調整可能であり、対象色相成分を調整主要色または隣の主要色まで調整可能である。例えば、成分調整部１４は、図５に示す色情報７０の対象彩度成分を最大彩度７２まで調整でき、色情報７０の対象色相成分を調整主要色であるＹまたはＧまで調整できる。
【００２８】
図７は、図１に示す成分調整部の一例のブロック図である。成分調整部１４Ａは、調整値計算部１００及び成分出力部１０２で構成される。図７に示す調整値計算部１００は、入力端子ＩＮ６を通じて入力した調整主要色の彩度調整量及び／又は色相調整量と、入力端子ＩＮ７を通じて加重値決定部１２から入力した加重値とを利用して、彩度調整値及び／又は色相調整値を計算し、計算された彩度調整値及び／又は色相調整値を成分出力部１０２に出力する。
【００２９】
例えば、調整値計算部１００は、式（３）に従って彩度調整値ＤＥＬＴＡsを計算し、式（４）に従って色度調整値ＤＥＬＴＡhを計算できる。
【数２】
2005323376.tif 000004
ここで、調整主要色がＲ、ＧまたはＢである場合に、Δｓ1は、調整主要色の彩度調整量を示し、Δｈ1は、調整主要色の色相調整量を示し、Ｗ1は、例えば前記した式（１）のような加重値を示す。また、調整主要色がＣ、ＭまたはＹである場合に、Δｓ2は、調整主要色の彩度調整量を示し、Δｈ2は、調整主要色の色相調整量を示し、Ｗ2は、例えば前記した式（２）のような加重値をそれぞれ示す。したがって、調整主要色がＲ、ＧまたはＢのみがある場合に、Δｓ2、Δｈ2及びＷ2は、それぞれ「０」となり、調整主要色がＣ、ＭまたはＹのみがある場合に、Δｓ1、Δｈ1及びＷ1は、それぞれ「０」となる。しかし、複数個の調整主要色がＲ、ＧまたはＢのうち一つと、Ｃ、ＭまたはＹのうち一つとを含む場合、Δｓ2、Δｈ2、Ｗ2、Δｓ1、Δｈ1及びＷ1は、「０」ではない値となる。
【００３０】
図７に示す成分出力部１０２は、入力端子ＩＮ８を通じて入力した対象色相成分及び／又は対象彩度成分を、調整値計算部１００から入力した彩度調整値及び／又は色相調整値を利用して、それぞれ調整し、調整した結果を出力端子ＯＵＴ３を通じて出力する。
【００３１】
例えば、成分出力部１０２は、調整する対象彩度成分ｓIを式（５）に従って調整し、調整する対象色相成分ｈIを式（６）に従って調整できる。
【数３】
2005323376.tif 000005
ここで、ｓOは、調整された対象彩度成分を示し、ｈOは、調整された対象色相成分をそれぞれ示す。
【００３２】
一方、彩度が無い無彩色であるか、またはその周辺の値であるとき、対象彩度成分を過度に調整すれば、色表現誤りが発生する可能性がある。これを防止するために、図１に示す成分調整部１４は、対象彩度成分が低彩度領域に属するか、高彩度領域に属するかによって、対象彩度成分の彩度を異なるように調整できる。例えば、成分調整部１４は、調整する対象彩度成分ｓIが所定のしきい値ｓＧＰより小さい低彩度領域で調整される対象彩度成分ｓIを、式（７）に従って調整する。そして、調整される対象彩度成分ｓIが所定のしきい値ｓＧＰの以上である、高彩度領域で調整される対象彩度成分ｓIを、式（８）に従って調整する。
【数４】
2005323376.tif 000006
ここで、ｓOは、調整された対象彩度成分を示し、ｓＧＰは、例えば０．５となり、図５に示したように、調整主要色の種類によってｓＧＰR、ｓＧＰY、ｓＧＰG、ｓＧＰC、ｓＧＰB、または、ｓＧＰMによって決定される。ここで、ｓＧＰRは、Ｒのしきい値を示し、ｓＧＰYはＹのしきい値を示し、ｓＧＰGはＧのしきい値を示し、ｓＧＰCはＣのしきい値を示し、ｓＧＰBはＢのしきい値を示し、ｓＧＰMはＭのしきい値を示す。
【００３３】
本発明の実施形態によれば、成分調整部１４は、成分決定部１０から入力した対象彩度成分が、低彩度領域に属するか、高彩度領域に属するかによって、入力した対象彩度成分を前記したように異なるように調整できる。例えば、式（７）または式（８）に記載されたｓIは、成分調整部１４に入力される対象彩度成分であり、ｓOは、成分出力部１０２に入力される対象彩度成分となる。
【００３４】
本発明の他の実施形態によれば、成分調整部１４は、成分出力部１０２から出力される調整された対象彩度成分が、低彩度領域に属するか高彩度領域に属するかによって、調整された対象彩度成分の彩度を前記したように異なるように調整できる。例えば、式（７）または式（８）に記載されたｓIは、成分出力部１０２から出力される対象彩度成分であり、ｓOは、成分調整部１４に出力される対象彩度成分である。
【００３５】
図１に示した成分調整部１４で調整された対象彩度成分及び対象色相成分からなる色情報は、多様な形態に変換する。例えば、入力映像を記録する場合、成分調整部１４から出力される色情報は、映像の記録に適した形態に変換される。または、入力映像を表示する場合、成分調整部１４から出力される色情報は、入力映像の表示に適した形態に変換される。
【００３６】
前記したように、複数個の修正範囲が外部から与えられる場合、加重値生成部１２は、前記したように、各修正範囲別に加重値を生成する。この際、成分調整部１４は、修正範囲別に対象色相成分と対象彩度成分とを調整する。
【００３７】
一方、前記した本発明による映像の主要色成分調整装置を制御する、少なくとも一つのコンピュータプログラムを保存する、コンピュータで読み取り可能な記録媒体のコンピュータプログラムは、対象色相成分のそれぞれの色相と少なくとも一つの調整主要色の色相との色相差に応じて、加重値を決定する段階及び調整主要色の彩度調整量及び／又は色相調整量と加重値とを利用して、対象色相成分及び／又は対象彩度成分を調整する段階を行うことができる。この際、記録媒体に保存されるコンピュータプログラムは、入力映像についての色情報から色相及び彩度成分を抽出し、抽出された成分のうち、対象色相成分と対象彩度成分とを抽出する段階をさらに行うことができる。
【００３８】
本発明によるコンピュータで読み取り可能な記録媒体は、コンピュータシステムによって読み取り可能なデータが保存されるあらゆる種類の記録装置を含む。例えば、記録装置としては、光データ記憶装置があげられる。また、コンピュータが読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フレキシブルディスクなどがあり、また、キャリアウェーブ（例えば、インターネットを通じた伝送）の形態で実現するものも含む。また、コンピュータが読み取り可能な記憶媒体に記録されたプログラムは、ネットワークで連結されたコンピュータシステムに分散され、分散方式でコンピュータが読み取り可能なコードが保存され、実行することが可能である。そして、本発明を実現するための機能的なプログラム、コード及びコードセグメントは、前記の説明に限定されず、技術的思想として同一である限り変更が可能である。
なお、映像の主要成分調整装置は、修正範囲を入力する修正範囲入力手段、修正範囲を変更する修正範囲変更手段を備えていてもよい。
【産業上の利用可能性】
【００３９】
本発明は、カラーイメージ編集ツール、ＬＣＤ、ＤＳＣまたはプリンタなどのようにカラー映像を処理する分野に適用できる。
【図面の簡単な説明】
【００４０】
【図１】本発明による映像の主要色成分調整装置の一例のブロック図である。
【図２】本発明による映像の主要色成分調整方法の一例を説明するためのフローチャートである。
【図３】図１に示された成分決定部の一例のブロック図である。
【図４】３次元的なＨＳＶ色空間を２次元に表現した図面である。
【図５】図４に示されたＨＳＶ色空間を異なって示す図面である。
【図６】調整される対象色相成分の色相、すなわち角度による加重値を例示する本発明によるグラフである。
【図７】図１に示された成分調整部の本発明による実施例のブロック図である。
【符号の説明】
【００４１】
１０    成分決定部
１２    加重値決定部
１４    成分調整部
【図１】
2005323376.tif 000012
【図２】
2005323376.tif 000013
【図３】
2005323376.tif 000014
【図４】
2005323376.tif 000015
【図５】
2005323376.tif 000016
【図６】
2005323376.tif 000017
【図７】
2005323376.tif 000018